(57)【要約】【課題】本発明は、例えば、磁気ギャップ内に砂塵が侵入することを抑制するスピーカ装置を提供する。【解決手段】フレーム３が、磁気回路２と連結されている。フレーム３には、この連結部よりも外側に形成され、磁気回路２に向かって開口する複数の孔部３１ｃを有している。ケース７が、磁気回路２及びフレーム３を覆い、音放射方向側に開口されている。ケース７の外周部７２は、複数の孔部３１ｃよりも音放射方向側にあり、フレーム３との間に第１間隙が形成されている。第１間隙とケース７との開口が連通している。【選択図】図１
2018019437.tif 000002
【特許請求の範囲】
【請求項１】
磁気回路と、フレームと、ケースを備え、
前記フレームは、前記磁気回路が連結される連結部と、当該連結部よりも外側にあり、前記ケースに向かって開口する孔部を有し、
前記フレームに向かって開口したケースは、前記磁気回路及び前記フレームを覆い、
前記孔部よりも外側で音響放射側にある前記ケースの縁端部と、前記フレームとの間に間隙が形成されていることを特徴とするスピーカ装置。
【発明の詳細な説明】
【技術分野】
【０００１】
本発明は、スピーカ装置に関するものである。
【背景技術】
【０００２】
磁気ギャップ内に鉄粉や磁粉が進入して発生する異常音の防止をするスピーカ装置として、特許文献１に示されたスピーカが提案されている。特許文献１のスピーカは、スピーカの磁気回路の底面中央に磁気回路を貫通する貫通孔を設けたものであり、鉄粉や磁紛はフレームに設けた中央孔を通り、ヨークの貫通孔に進入する。これにより、磁気ギャップ内に鉄粉や磁粉が進入して発生する異常音の防止をする。
【０００３】
しかしながら、砂の多い場所では、上述した砂塵対策では不十分であり、ヨークの空気孔から磁気ギャップへと砂塵が侵入し、駆動不良が生じるおそれがある。
【先行技術文献】
【特許文献】
【０００４】
【特許文献１】特開２００５−５７６４０
【発明の概要】
【発明が解決しようとする課題】
【０００５】
本発明は、このような問題点に対処することを課題の一例とするものである。即ち、本発明は、例えば、磁気ギャップ内に砂塵が侵入することを抑制するスピーカ装置を提供することを課題の一例とする。
【課題を解決するための手段】
【０００６】
上記課題を解決するために、請求項１に記載された発明は、磁気回路と、フレームと、ケースを備え、前記フレームは、前記磁気回路が連結される連結部と、当該連結部よりも外側にあり、前記ケースに向かって開口する孔部を有し、前記フレームに向かって開口したケースは、前記磁気回路及び前記フレームを覆い、前記孔部よりも外側で音響放射側にある前記ケースの縁端部と、前記フレームとの間に間隙が形成されていることを特徴とするスピーカ装置である。
【図面の簡単な説明】
【０００７】
【図１】第１実施例における本発明のスピーカ装置を示す断面斜視図である。
【図２】第２実施例における本発明のスピーカ装置を示す部分断面図である。
【図３】図２に示すスピーカ装置を構成するフレームの斜視図である。
【発明を実施するための形態】
【０００８】
以下、本発明の一実施形態にかかるスピーカ装置を説明する。本発明の一実施形態に係るスピーカ装置は、磁気回路と、フレームと、ケースを備え、前記フレームは、前記磁気回路が連結される連結部と、当該連結部よりも外側にあり、前記ケースに向かって開口する孔部を有し、前記フレームに向かって開口したケースは、前記磁気回路及び前記フレームを覆い、前記孔部よりも外側で音響放射側にある前記ケースの縁端部と、前記フレームとの間に間隙が形成されていることを特徴とするスピーカ装置である。
【０００９】
これにより、砂塵（特に砂鉄）の磁気ギャップへの侵入経路は、フレームの孔部より音響放射側にある間隙から音放射方向とは逆方向側に向かって進み、その後、方向を変えて、音放射方向側に向かって進んでフレームの孔部を通り、フレーム内に侵入し、磁気ギャップに到達するという経路となる。砂塵はフレームの孔部より音響放射側にある間隙から音放射方向とは逆方向側に向かって進む必要があるので、砂塵がフレーム内に侵入しにくく、磁気ギャップへの砂塵の侵入を抑制できる。しかも、間隙から侵入した砂塵（特に砂鉄）は、フレームに連結された磁気回路に磁力でくっつくため、より一層、フレーム内に侵入しにくく、磁気ギャップへの砂塵の侵入を抑制できる。
【００１０】
また、イスコイルと、当該ボイスコイルを前記フレームに支持するダンパを備え、ダンパは、フレームの外周部の内側面に取り付けられており、ダンパより磁気回路側にある、フレームの外周部の一部は連続面であってもよい。これにより、ダンパより磁気回路側にあるフレーム内への砂塵の侵入口を孔部にのみ限定でき、より一層、磁気ギャップへの砂塵（特に砂鉄）の侵入を抑制できる。
【００１１】
また、孔部は、フレームの底部に形成され、間隙は、フレームの外周部とケースの外周部との間に形成されていてもよい。フレームの底部に形成された孔部はフレーム又は磁気回路に向かって開口しているので、砂塵は音響放射側にある間隙から音放射方向とは逆方向側に向かって進まなければ、孔部からフレーム内に侵入できない。これにより、より一層、磁気ギャップへの砂塵（特に砂鉄）の侵入を抑制できる。
【００１２】
また、フレームの外周部の外側面は、音響放射側に向かうに従ってケースに近づく傾斜面を備え、ケースの縁端部は、フレームの傾斜面に対向していてもよい。これにより、ケースの開口側にある間隙を狭くして砂塵を侵入しにくくすることができ、ケース内への砂塵の侵入を抑制して、磁気ギャップへの砂塵の侵入を抑制できる。
【００１３】
また、前述した間隙を第１間隙として、ケースの外周部と磁気回路との間に第２間隙が形成され、第１間隙及び第２間隙は、ケースの縁端部から底部まで連続して形成されていてもよい。これにより、砂塵の侵入経路の一つとして、ケースの開口から侵入した砂塵が孔部から離れたケースの底部まで侵入する経路が形成される。この経路に沿って侵入した砂塵は底部まで侵入するので、フレームの孔部に向かって吸い込まれることを抑制できる。
【００１４】
また、磁気回路は、ヨーク、磁石、プレートを有する外磁型磁気回路であり、磁気回路の磁石の外周部は、ヨークの外周部及びプレートの外周部よりケース側に突出していてもよい。これにより、第２間隙の中間部が狭くなっているため、ケースの開口から侵入し、第２間隙の中間部を通りケースの底部まで侵入した砂塵がフレームの孔部に向かって吸い込まれることをより一層抑制できる。
【００１５】
また、磁石がある位置における前記第２間隙の一部より、磁石よりケースの底部側にある第２間隙の一部が広く形成されていてもよい。この磁石により、第２間隙の中間部は狭く、中間部より底部側にある第２間隙の一部は広く形成でき、ケースの開口から侵入し、第２間隙の中間部を通りケースの底部まで侵入した砂塵がフレームの孔部に向かって吸い込まれることをより一層抑制できる。また、ケースの底部側にある第２間隙の一部を広く形成することで、侵入する砂塵を収容する収容部とすることができる。
【実施例】
【００１６】
（第１実施例）
次に、第１実施例におけるスピーカ装置について図１を参照して説明する。
【００１７】
同図に示すように、スピーカ装置１は、磁気ギャップＧが形成された磁気回路２と、磁気回路２が連結されるフレーム３と、磁気ギャップＧ内に挿入されたボイスコイル４と、ボイスコイル４を支持するコイルボビン（ボイスコイル支持部）５と、コイルボビン５を振動自在に支持するダンパ６と、振動板及びキャップ（何れも図示せず）と、ケース７と、を備えている。
【００１８】
本実施例における磁気回路２は、外磁型磁気回路であり、磁石２１と、磁石２１の一極が磁気的に結合されたプレート２２と、磁石２１の他極が磁気的に結合されたヨーク２３と、メッシュ２４と、を有している。
【００１９】
磁石２１は、円板状に設けられ、中央に貫通孔２１ａが設けられている。
【００２０】
プレート２２は、円板状に設けられ、磁石２１の音放射方向Ｙ１側（＝一極側）の面に重ねられ、接着剤などにより固定される。このプレート２２にも、中央に貫通孔２２ａが設けられている。
【００２１】
ヨーク２３は、上記磁石２１、プレート２２の貫通孔２１ａ、２２ａに挿入される筒状のヨーク本体２３ａと、ヨーク本体２３ａから外側に向かって突設されたフランジ部２３ｂと、が形成されている。上述したプレート２２の貫通孔２２ａの内周面と、貫通孔２２ａに挿入されたヨーク本体２３ａと、の間に磁気ギャップＧが形成される。この磁気ギャップＧは、音放射方向Ｙ１側及びその逆方向Ｙ２側が開口されている。
【００２２】
フランジ部２３ｂは、ヨーク本体２３ａの逆方向Ｙ２側の端部から外側に向かって突出する内周部２３ｂ１と、内周部２３ｂ１の外側の端部から音放射方向Ｙ１に向かって立設し、音放射方向Ｙ１に向かうに従ってヨーク本体２３ａから離れる傾斜部２３ｂ２と、傾斜部２３ｂ２の音放射方向Ｙ１側の端部から外側に向かって突出して形成された（即ち内周部２３ｂ１と平行に形成された）外周部２３ｂ３と、を備えている。上記内周部２３ｂ１は、後述するケース７の底部７１上に搭載され、傾斜部２３ｂ２及び外周部２３ｂ３は、後述するケース７から離隔して設けられている。上記外周部２３ｂ３には、磁石２１の逆方向Ｙ２側（＝他極側）の面が重ねられ、接着剤などにより固定される。
【００２３】
メッシュ２４は、ヨーク本体２３ａの音放射方向Ｙ１側における端部に取り付けられ、フレーム３内への砂塵の侵入を防止する。なお、上記磁石２１の外径（又は幅）は、プレート２２の外径（又は幅）やヨーク２３のフランジ部２３ｂの外径（又は幅）よりも大きく形成されている。このため、磁石２１は、プレート２２やヨーク２３よりも後述するケース７側に突出している。
【００２４】
フレーム３は、ポリエチレン、ポリプロピレン、ＡＢＳ等の樹脂から構成され、底部３１と、底部３１の縁端部から音放射方向Ｙ１に向かって立設された外周部３２と、を有している。
【００２５】
フレーム３の底部３１は、円形に設けられ、その中央に形成された貫通孔３１ａと、貫通孔３１ａを囲む複数の連結孔３１ｂと、連結孔３１ｂの外側にさらに形成された複数の孔部３１ｃと、が設けられている。貫通孔３１ａには、ヨーク本体２３ａ及び後述するコイル支持部５が挿入される。このため、磁気ギャップＧの開口がフレーム３の底部３１に設けた貫通孔３１ａに連通している。よって、フレーム３内に砂塵が侵入すると、底部３１に設けた貫通孔３１ａを通って磁気ギャップＧ内に砂塵が侵入する恐れがある。
【００２６】
連結孔３１ｂは、磁気回路２をフレーム３に連結するための孔であり、この連結孔３１ｂには、プレート２２から突出した凸部２２ｂが挿入される。この凸部２２ｂの頭部を潰すことにより、磁気回路２がフレーム３に連結する。フレーム３の底部３１において、プレート２２（磁気回路２）と接している部分が連結部となる。複数の孔部３１ｃは、フレーム３の底部３１の連結部よりも外側に形成され、磁気回路２に向かって開口している。この複数の孔部３１ｃから磁気回路２に空気が送り込まれ、磁気回路２が冷却される。
【００２７】
フレーム３の外周部３２は、第１傾斜部３２ａと、ダンパ取付部３２ｂと、第２傾斜部３２ｃと、振動板取付部３２ｄと、を備えている。第１傾斜部３２ａは、底部３１に連なり、音放射方向Ｙ１に向かうに従って外径（又は幅）が大きくなるように設けられている。これにより、第１傾斜部３２ａの外側面に、音放射方向Ｙ１に向かうに従って外径（又は幅）が大きくなる傾斜面３２ａ１が設けられる。ダンパ取付部３２ｂは、第１傾斜部３２ａの音放射方向Ｙ１側の端部から外側に突出して形成され（即ち底部３１と略平行に形成され）、後述するダンパ６の外周縁（縁端部）が取り付けられる。第２傾斜部３２ｃは、ダンパ取付部３２ｂの外側の端部から音放射方向Ｙ１に向かって立設し、音放射方向Ｙ１に向かうに従って外径（又は幅）が大きくなるように設けられている。振動板取付部３２ｄは、第２傾斜部３２ｃの音放射方向Ｙ１側の端部から外側に突出して形成され（即ち底部３１と略平行に形成され）、後述する図示しない振動板の外周縁（縁端部）が取り付けられる。
【００２８】
ダンパ６よりも磁気回路２側にある、フレーム３の外周部３２の一部（即ち第１傾斜部３２ａ）は、開口が設けられていない連続面である。ダンパ６よりも磁気回路２から離れた側にある、フレーム３の外周部３２の一部（即ち第２傾斜部３２ｃ）には、図示しない振動板の背圧を逃がすため複数の開口３２ｅが設けられている。
【００２９】
コイル支持部５は、筒状に設けられ、その外側面にコイル４が巻かれている。ダンパ６は、弾性部材により円形に形成され、外から中心に向かって蛇腹状に形成されている。このダンパ６の中央には、ボイスコイル４を挿入する貫通孔６ａが設けられ、コイル支持部５は、このダンパ６の貫通孔６ａの内側面に接着剤などにより固定される。また、ダンパ６の外周縁（縁端部）は、フレーム３のダンパ取付部３２ｂの内側面に接着剤などにより固定される。
【００３０】
図示しない振動板は、紙、ポリエーテルイミドなどの樹脂などで形成され、中央に貫通孔が形成された円形に設けられている。この振動板の貫通孔の内側面には、コイル支持部５が接着剤などにより固定される。また、振動板の外周縁（縁端部）は、フレーム３の振動板取付部３２ｄの内側面に接着剤等により固定される。図示しないキャップは、図示しない振動板の中央に設けた貫通孔から突出するコイル支持部５を覆うように振動板に固定される。これにより、コイル４に電流を流すと、磁気回路２の磁力により、コイル支持部５が振動し、図示しない振動板が振動して、音が放射される。
【００３１】
ケース７は、ポリエチレン、ポリプロピレン、ＡＢＳ等の樹脂から構成され、磁気回路２及びフレーム３を覆い、フレーム３側に向かって（音放射方向Ｙ１側）開口されている。ケース７は、底部７１と、底部７１の周縁（縁端部）から立設された外周部７２と、を有している。ここで、ケース７により、磁気回路２の一部又は全体が覆われていてもよい。磁気回路２に砂塵が侵入することを抑制する点で、図１に示すようなフレーム３と対面していない、外部と対面する磁気回路２の外周面にケース７が対向するように、ケース７が磁気回路２の一部を覆っていることが好ましい。また、ケース７により、フレーム３の全体が覆われている又は、図１に示すようなフレーム３の一部が覆われている場合であってもよい。
【００３２】
底部７１には、上述した磁気回路２が搭載され、筒状のヨーク本体２３ａの孔と連通する連通孔７１ａが設けられている。
【００３３】
ケース７の外周部７２は、フレーム３に設けた複数の孔部３１ｃよりも音響放射側まで立設されている。また、この外周部７２の縁端部７２ｃは、孔部３１ｃよりも外側で音響放射側にある。ケース７の外周部７２とフレーム３の外周部３２との間には、第１間隙Ｓ１が形成されている。この第１間隙Ｓ１とケース７の開口とは連通している。また、ケース７の外周部７２は、磁気回路２との間に第２間隙Ｓ２が形成され、第１間隙Ｓ１及び第２間隙Ｓ２は、ケース７の開口から底部７１まで連続して形成されている。
【００３４】
ケース７の外周部７２は、第１傾斜部７２ａと、第２傾斜部７２ｂと、を備えている。第１傾斜部７２ａは、底部７１と連なり、底部７１から離れるに従って外径（又は幅）が大きくなるように設けられている。第２傾斜部７２ｂは、第１傾斜部７２ａに連なり、第１傾斜部７２ａと底部７１との傾斜角度より大きい傾斜角度で設けられている。この第２傾斜部７２ｂの縁端部が、フレーム３の外周部３２の傾斜面３２ａ１に対向している。これにより、第１間隙Ｓ１は砂塵の侵入口である開口側が一番狭く設けられ、逆方向Ｙ１に向かうに従って広くなる。
【００３５】
また、上述したように磁石２１は、プレート２２及びヨーク２３よりも外側に突出して設けられている。これにより、第２間隙Ｓ２は、中間位置（ケース７の外周部７２と磁石２１との間の位置）では狭く、底部７１側（ケース７の外周部７２とヨーク２３のフランジ部２３ｂとの間の位置）は広くなる。また、フレーム３の外周部３２とフランジ傾斜部２３ｂ２との間の第２間隙Ｓ２は、底部７１に近づくに従って大きくなる。このフレーム３とヨーク２３のフランジ部２３ｂとの間の空間がケース７開口から侵入してきた砂塵を収容する収容部８となる。
【００３６】
上述した構成のスピーカ装置１によれば、磁気回路２を冷却するためにフレーム３の底部３１に孔部３１ｃを設ける必要がある。本実施例では、磁気回路２及びフレーム３を覆うケース７を設け、ケース７の外周部７２の縁端部７２ｃを複数の孔部３１ｃよりも音放射方向Ｙ１側まで立設し、ケース７の外周部７２とフレーム３の外周部３２との間に第１間隙Ｓ１が形成され、第１間隙Ｓ１とケース７の開口とが連通している。
【００３７】
これにより、砂塵（特に砂鉄）の磁気ギャップＧへの侵入経路としては、砂塵が逆方向Ｙ２側に向かって進みケース７の開口から第１間隙Ｓ１に侵入し、その後、方向を変えて音放射方向Ｙ１に向かって進んで孔部３１ｃからフレーム３内に侵入し、フレーム３内から磁気ギャップＧに侵入する経路となる。このため、砂塵がフレーム３内に侵入しにくく、磁気ギャップＧへの砂塵の侵入を抑制できる。しかも、ケース７の開口から侵入した砂塵（特に砂鉄）は、フレーム３に連結された磁気回路２にくっつくため、より一層、フレーム３内に侵入しにくく、磁気ギャップＧへの砂塵の侵入を抑制できる。
【００３８】
また、フレーム３の開口は、ダンパ６や図示しない振動板、ギャップにより塞がれ、ダンパ６より磁気回路２側にあるフレーム３の外周部３２（即ち第１傾斜部３２ａ）は、開口が設けられていない連続面で形成されている。これにより、ダンパ６より磁気回路２側のフレーム３内への砂塵の侵入口を孔部３１ｃに限定でき、より一層、磁気ギャップＧへの砂塵（特に砂鉄）の侵入を抑制できる。
【００３９】
また、上述したスピーカ装置１によれば、ケース７の外周部７２の縁端部７２ｃは、フレーム３の傾斜面３２ａ１に対向している。これにより、砂塵の侵入口であるケース７開口側の第１間隙Ｓ１を狭くすることができ、ケース７内への砂塵の侵入を抑制して、より一層、磁気ギャップＧへの砂塵の侵入を抑制できる。
【００４０】
また、上述したスピーカ装置１によれば、フレーム３の外周部３２は、磁気回路２との間に第２間隙Ｓ２が形成され、第１間隙Ｓ１及び第２間隙Ｓ２は、ケース７の底部７１まで連続して形成されている。これにより、ケース７の開口から第１間隙Ｓ１内に侵入した砂塵は、そのまま逆方向Ｙ２に進んで第２間隙Ｓ２を通り底部７１まで侵入して収容部８内にためられる。これにより、ケース７の開口から侵入した砂塵が孔部７１ｃから離れたケース７の底部７１まで侵入するため、底部７１まで侵入した砂塵がフレーム３の孔部３１ｃに向かって吸い込まれることを抑制できる。
【００４１】
また、上述したスピーカ装置１によれば、磁気回路２の磁石２１が、プレート２２及びヨーク２３よりケース７側に向かって突出している。これにより、上述したように第２間隙Ｓ２は、中間部では狭く、底部７１側で広く設けられる。このように、第２間隙Ｓ２の中間部を狭く設けることにより、ケース７の開口から侵入し、第２間隙Ｓ２の中間部を通りケース７の底部７１まで侵入して収容部８にためられた砂塵が再び狭い第２間隙Ｓ２の中間部を通ってフレーム３の孔部３１ｃに向かって吸い込まれることをより一層抑制できる。
【００４２】
（第２実施例）
次に、第２実施例におけるスピーカ装置１について図２及び図３を参照して説明する。図２及び図３においては、第１実施例で既に説明した図１に示すスピーカ装置１と同等の部分には同一符号を付してその詳細な説明を省略する。第１実施例と第２実施例とで異なる点は、フレーム３の形状である。第１実施例では、プレート２２の外径（又は幅）をフレーム３の底部３１の外径（又は幅）よりも小さくし、底部３１に孔部３１ｃを設けていた。
【００４３】
これに対して第２実施例では、図２に示すようにプレート２２の外径（又は幅）をフレーム３の底部３１の外径（又は幅）と同じか、または、大きくしている。この場合、底部３１に孔部３１ｃを設けてもプレート２２により塞がれ、空気を磁気回路２内に送り込むことが難しい。そこで、第２実施例では、底部３１の外周縁部を音響放射側又はダンパ６側に向かってへこませた凹部３１ｆを複数設け、この凹部３１ｆの上面部３１ｇに孔部３１ｃを設けている。この孔部３１ｃは、凹部３１ｆの開口を介して外部と連通している。また、この孔部３１ｃの周囲の一部は凹部３１ｆを形成する側面により囲まれている。これにより、孔部３１ｃがプレート２２に塞がれて空気を送り込むことが困難になることを抑制できる。しかも、第２実施例のように凹部３１ｆに孔部３１ｃを設けることにより、凹部３１ｆを形成する側面が壁となり、孔部３１ｃへの砂塵の侵入経路を狭くして、より孔部３１ｃからフレーム３内への砂塵の侵入を抑制することができる。
【００４４】
なお、上述した第１及び第２実施例によれば、ケース７の外周部７２と磁気回路２との間にも第２間隙Ｓ２が設けられていたが、これに限ったものではない。砂塵の程度によってはケース７の外周部７２とフレーム３の外周部３２との間の第１間隙Ｓ１だけが設けられていてもよい。
【００４５】
また、上述した第１及び第２実施例によれば、フレーム３の外周部３２に傾斜面３２ａ１を設け、ケース７の外周部７２の開口側の端部を傾斜面３２ａ１に対向させていたが、これに限ったものではない。フレーム３の外周部３２に傾斜面３２ａ１を設けることは必須ではなく、底部３１に対して垂直な面であってもよい。
【００４６】
また、上述した第１及び第２実施例によれば、磁石２１をヨーク２３及びプレート２２よりケース７側に突出させることにより、第２間隙Ｓ２を、中間部では狭く、底部７１側では広く設けていたが、これに限ったものではない。ケース７の外周部７２の中間部を内側へこませて、第２間隙Ｓ２を、中間部では狭く、底部７１側では広く設けてもよい。
【００４７】
また、上述した第１及び第２実施例によれば、第２間隙Ｓ２は、中間位置では狭く、底部７１側では広く設けていたが、これに限ったものではない。第２間隙Ｓ２は、底部７１まで同じ寸法で設けてもよい。
【００４８】
また、上述した第１及び第２実施例によれば、磁気回路２は外磁型磁気回路であったが、これに限ったものではない。内磁型磁気回路であってもよい。内磁型磁気回路を採用する場合には、磁石及びプレートよりヨークの外周部をケース側に突出させることで、第２間隙２Ｓの中間部を狭く、底部７１側にある第２間隙２Ｓの一部を広くすることができる。
【００４９】
スピーカ装置１の搭載例としては、車両のトランクルームに配置されることが挙げられる。この場合、スピーカ装置１は、例えば音放射方向Ｙ１が車両の天井又は運転者等の乗員に向くように配置される。
【００５０】
また、前述した実施例は本発明の代表的な形態を示したに過ぎず、本発明は、実施形態に限定されるものではない。即ち、本発明の骨子を逸脱しない範囲で種々変形して実施することができる。磁石２１、プレート２２は同心状に形成できる。底部７１に対する第２傾斜部７２ｂの傾斜角度を略垂直にしても構わない。孔部３１ｃの形状を、真円、楕円、トラック形状、正方形、長方形などの矩形など、任意の形状にしても構わない。
【符号の説明】
【００５１】
１  スピーカ装置
２  磁気回路
３  フレーム
６  ダンパ
７  ケース
２１  磁石
２２  プレート
２３  ヨーク
３１  底部
３１ｃ  孔部
３２  外周部
３２ａ１  傾斜面
７１  底部
７２  外周部
Ｓ１  第１間隙
Ｓ２  第２間隙
Ｙ１  音放射方向
【図１】
2018019437.tif 000003
【図２】
2018019437.tif 000004
【図３】
2018019437.tif 000005